(57)【要約】【課題】バドミントンに多く見られるフロントランジ動作をアシストし、臀部や大腿部の筋発揮を低減させることができるバドミントン用タイツを提供する。【解決手段】本発明は、左下肢及び右下肢のいずれか一方又は両方に帯状の弾性部材２を有し、弾性部材２は、骨盤から始まり、臀頂部を通り、大腿の外側部を通り、膝蓋骨を覆わず、膝蓋骨の外側を通り、膝の下方に至るように配置されているか、及び/又は、骨盤から始まり、臀頂部を通り、大腿の内側部を通り、膝蓋骨を覆わず、膝蓋骨の内側を通り、膝の下方に至るように配置されており、弾性部材２は、身長方向において、ＪＩＳ  Ｌ  １０９６に準じて測定した３０％伸長時の戻り時荷重が１．５Ｎ以上であるバドミントン用タイツに関する。【選択図】図１
2020037753.tif 000002
【特許請求の範囲】
【請求項１】
左下肢及び右下肢のいずれか一方又は両方に帯状の弾性部材を有し、
前記弾性部材は、臀頂部を通り、大腿の外側部を通り、膝蓋骨を覆わず、膝蓋骨の外側を通り、膝の下方に至るように配置されているか、及び/又は、臀頂部を通り、大腿の内側部を通り、膝蓋骨を覆わず、膝蓋骨の内側を通り、膝の下方に至るように配置されており、
前記弾性部材は、身長方向において、ＪＩＳ  Ｌ  １０９６に準じて測定した３０％伸長時の戻り時荷重が１．５Ｎ以上であることを特徴とするバドミントン用タイツ。
【請求項２】
前記弾性部材は左下肢及び右下肢のいずれか一方に設けられている請求項１に記載のバドミントン用タイツ。
【請求項３】
前記弾性部材は、骨盤上部から始まり、臀頂部を通り、大腿部で二つに分かれて、一方は大腿の外側部を通り、膝蓋骨を覆わず、膝の外側を通り、膝の下方に至るように配置され、他方は大腿の内側部を通り、膝蓋骨を覆わず、膝の内側を通り、膝の下方に至るように配置されている請求項１又は２に記載のバドミントン用タイツ。
【請求項４】
前記バドミントン用タイツは、前記弾性部材に比べてＪＩＳ  Ｌ  １０９６に準じて測定した身長方向の伸長率が低い腰緊締部を有し、前記弾性部材と前記腰緊締部が繋がっている請求項１〜３のいずれか１項に記載のバドミントン用タイツ。
【請求項５】
前身頃において、最下点が膝の下方に位置する略Ｕ字状の縫製線を有する請求項１〜４のいずれか１項に記載のバドミントン用タイツ。
【請求項６】
表側と裏側とを反転可能なリバーシブル仕様である請求項１〜５のいずれか１項に記載のバドミントン用タイツ。
【発明の詳細な説明】
【技術分野】
【０００１】
本発明は、少なくとも腰部から膝下までを覆うバドミントン用タイツに関する。
【背景技術】
【０００２】
従来から、スポーツウェアについて、適切な素材を用いることで、運動をサポートする機能を持たせる研究が進められてきている。例えば、特許文献１には、ベース部よりも高い伸長荷重を示す強パワー部を有するスパッツにおいて、大腿部を周方向に囲んで臀部から膝上に延びるように強パワー部を設けることが提案されている。
【先行技術文献】
【特許文献】
【０００３】
【特許文献１】特開２０１３−１４７７５９号公報
【発明の概要】
【発明が解決しようとする課題】
【０００４】
特許文献１では、大腿部を周方向に囲んで臀部から膝上に延びるように強パワー部を設けることで、強パワー部が走行の際の股関節の伸展をサポートし、走行の際に脚を振り下ろす力や地面を蹴る力を向上させている。しかしながら、走行の場合とは動作が異なるバドミントンの動作をアシストすることはできなかった。
【０００５】
本発明は、上記従来の問題を解決するため、バドミントンに多く見られるフロントランジ動作をアシストし、臀部や大腿部の筋発揮を低減させることができるバドミントン用タイツを提供する。
【課題を解決するための手段】
【０００６】
本発明は、左下肢及び右下肢のいずれか一方又は両方に帯状の弾性部材を有し、前記弾性部材は、臀頂部を通り、大腿の外側部を通り、膝蓋骨を覆わず、膝蓋骨の外側を通り、膝蓋骨の下方に至るように配置されているか、及び/又は、臀頂部を通り、大腿の内側部を通り、膝蓋骨を覆わず、膝蓋骨の内側を通り、膝の下方に至るように配置されており、前記弾性部材は、身長方向において、ＪＩＳ  Ｌ  １０９６に準じて測定した３０％伸長時の戻り時荷重が１．５Ｎ以上であることを特徴とするバドミントン用タイツに関する。
【０００７】
前記弾性部材は左下肢及び右下肢のいずれか一方に設けられていてもよい。前記弾性部材は、骨盤上部から始まり、臀頂部を通り、大腿部で二つに分かれて、一方は大腿の外側部を通り、膝蓋骨を覆わず、膝の外側を通り、膝の下方に至るように配置され、他方は大腿の内側部を通り、膝蓋骨を覆わず、膝の内側を通り、膝の下方に至るように配置されていてもよい。前記バドミントン用タイツは、前記弾性部材に比べてＪＩＳ  Ｌ  １０９６に準じて測定した身長方向の伸長率が低い腰緊締部を有し、前記弾性部材と前記腰緊締部が繋がっていることが好ましい。前記バドミントン用タイツは、前身頃において、最下点が膝の下方に位置する略Ｕ字状の縫製線を有することが好ましい。前記バドミントン用タイツは、表側と裏側とを反転可能なリバーシブル仕様であることが好ましい。
【発明の効果】
【０００８】
本発明は、バドミントンに多く見られるフロントランジ動作をアシストし、臀部や大腿部の筋発揮を低減し得るバドミントン用タイツを提供することができる。
【図面の簡単な説明】
【０００９】
【図１】図１は、本発明の一実施形態のバドミントン用タイツに関し、（ａ）は正面図であり、（ｂ）は背面図であり、（ｃ）は外側面図であり、（ｄ）は内側面図である。
【図２】図２は、本発明の他の一実施形態のバドミントン用タイツに関し、（ａ）は正面図であり、（ｂ）は背面図であり、（ｃ）は外側面図であり、（ｄ）は内側面図である。
【図３】図３は、本発明の他の一実施形態のバドミントン用タイツに関し、（ａ）は正面図であり、（ｂ）は背面図であり、（ｃ）は外側面図であり、（ｄ）は内側面図である。
【図４】図４は、本発明の他の一実施形態のバドミントン用タイツに関し、（ａ）は正面図であり、（ｂ）は背面図であり、（ｃ）は外側面図であり、（ｄ）は内側面図である。
【図５】図５は、本発明の他の一実施形態のバドミントン用タイツに関し、（ａ）は正面図であり、（ｂ）は背面図であり、（ｃ）は外側面図であり、（ｄ）は内側面図である。
【図６】図６は、本発明の他の一実施形態のバドミントン用タイツに関し、（ａ）は正面図であり、（ｂ）は背面図であり、（ｃ）は外側面図であり、（ｄ）は内側面図である。
【図７】図７は、本発明の他の一実施形態のバドミントン用タイツに関し、（ａ）は正面図であり、（ｂ）は背面図であり、（ｃ）は外側面図であり、（ｄ）は内側面図である。
【図８】図８は、バドミントンのフロントランジ動作の接地中の筋活動量の積分値を示すグラフである。
【発明を実施するための形態】
【００１０】
本発明の発明者らは、バドミントンに多く見られるフロントランジ動作、具体的に股関節を大きく屈伸させる動作をアシストとし、該動作時の臀部や大腿部の筋肉の負担を軽減することについて鋭意検討した。その結果、左下肢及び右下肢のいずれか一方又は両方に帯状の弾性部材を設け、該弾性部材を、臀頂部を通り、大腿の外側部を通り、膝蓋骨を覆わず、膝蓋骨の外側を通り、膝の下方に至るように配置するか、及び/又は、臀頂部を通り、大腿の内側部を通り、膝蓋骨を覆わず、膝蓋骨の内側を通り、膝の下方に至るように配置するとともに、該弾性部材の身長方向におけるＪＩＳ  Ｌ  １０９６に準じて測定した３０％伸長時の戻り時荷重を１．５Ｎ以上にすることで、フロントランジ動作をアシストし、該動作時の臀部や大腿部の筋肉の負担を軽減する、具体的にはフロントランジ動作の接地中の中臀筋、外側広筋及び大腿二頭筋の筋活動量を低減し得ることを見出した。これは、上述したように、所定の３０％伸長時の戻り時荷重を有する弾性部材を所定の箇所に設けることで、フロントランジ動作の踏み込みの際に臀頂部付近の弾性部材が伸長され弾性エネルギーを蓄え、戻り動作の際に弾性部材が元の長さに戻ろうとする力により、股関節を伸展させる方向にアシスト力が発揮され、臀部や大腿部の筋肉の負担を軽減されたと推測される。また、弾性部材が膝蓋骨を覆わないことで、フロントランジ動作の踏み込み動作が阻害されない。加えて、ウエストに上部アンカーを設け、膝下に下部アンカーを設けることで、繰り返しフロントランジ動作を実施してもタイツがずれることなく、適切に弾性部材がアシスト効果を発揮し続けることができる。特に膝の下方に設けた下部アンカーは股関節と膝関節を９０度近くにまで深く曲げたフロントランジ動作において、弾性部材が発揮するテンションの方向に対し効果的にアンカー機能を発揮することができる。
【００１１】
本発明において、「臀頂部」とは、矢状面（身体に対して横方向）から見たときに臀部が後方に最も突起している点のことをいう。本明細書において、「骨盤上部」とは、骨盤において、臀頂部より上に位置する部分を意味する。本明細書において、「身長方向」とは着用者の身体の身長方向を意味し、「身幅方向」とは着用者の身体の身幅方向を意味する。本発明において、「膝の下方」とは、膝蓋骨下端から脛骨粗面の下端までの領域を意味する。
【００１２】
前記弾性部材は、身長方向におけるＪＩＳ  Ｌ  １０９６に準じて測定した３０％伸長時の戻り時荷重（以下において、単に「伸長戻り荷重」とも記す。）は１．５Ｎ以上であればよく、特に限定されない。弾性部材による、フロントランジ動作をアシストし、臀部や大腿部の筋発揮を低減させる効果をより高める観点から、前記弾性部材は、身長方向における伸長戻り荷重が３．０Ｎ以上であることが好ましく、１０．０Ｎ以上であることがより好ましい。また、前記弾性部材は、特に限定されないが、フロントランジ動作を阻害せずにアシストを実現する観点から、身長方向におけるＪＩＳ  Ｌ  １０９６に準じて測定したヒステリシスロス（以下において、単に「ヒステリシスロス」とも記す。）が５０％以下であることが好ましく、４０％以下であることがより好ましく、３０％以下であることがさらに好ましい。
【００１３】
本発明において、伸長戻り荷重は、具体的には、以下のとおり測定する。ＪＩＳ  Ｌ  １０９６に準じ、定速伸長型試験機を用い、引張速度２００ｍｍ／ｍｉｎで試験片に荷重をかけて荷重が１９．６Ｎになるまで伸長させた後、荷重をゆるめながら引張速度２００ｍｍ／ｍｉｎで伸長を戻す操作を行い、荷重（応力）-変位（伸長率）曲線を得た後、１回目の荷重（応力）-変位（伸長率）曲線から戻り時の３０％伸長時の荷重を求める。また、ヒステリシスロスは、上述したとおりに得られた荷重（応力）-変位（伸長率）曲線に基づいて、戻り時の荷重-変位曲線が描く面積及び行き時の荷重-変位曲線が描く面積を求め、下記式に基づいて算出する。
ヒステリシスロス（％）＝１００−（（戻り時の荷重-変位曲線が描く面積）/（行き時の荷重-変位曲線が描く面積）×１００）
【００１４】
前記バドミントン用タイツにおいて、弾性部材を除く本体生地は、伸縮性を有するものであることが好ましく、弾性部材より身長方向の伸長率が高い生地を用いてもよい。本発明において、「伸縮性を有する」とは、身幅方向における伸長率及び／又は身長方向における伸長率が０％を超えることを意味する。本発明において、伸長率は、ＪＩＳ  Ｌ  １０９６に準じ、定速伸長型試験機を用い、引張速度２００ｍｍ／ｍｉｎ、荷重１９．６Ｎの条件下で測定する。弾性部材による、フロントランジ動作をアシストし、臀部や大腿部の筋発揮を低減させる効果をより高めるとともに、着用性を良好にする観点から、本体生地の身長方向の伸長率は、弾性部材の身長方向の伸長率の１．２倍以上２０倍以下であることが好ましく、２倍以上１５倍以下であることがより好ましい。
【００１５】
ウエストは腰緊締部を有し、腰緊締部の身長方向の伸長率が弾性部材の身長方向の伸長率より低く、弾性部材は緊締部と繋がっていることが好ましい。腰緊締部が弾性部材の上部アンカーとして機能し、弾性部材によるアシスト機能をより効果的に発揮することができる。例えば、腰緊締部の身長方向の伸長率は、弾性部材の身長方向の伸長率の３０％以上１６０％以下であることが好ましく、７５％以上１２０％以下であることがより好ましい。また、ウエストには、紐を通してもよい。
【００１６】
前記弾性部材は、伸長戻り荷重が１．５Ｎ以上であればよく、その素材は特に限定されない。例えば、ポリウレタン弾性繊維を含む織編物等を用いることができる。ポリウレタン弾性繊維は熱融着性を有するものであってもよい。前記織物は、モールド成形されたものであってもよい。前記織編物は、ポリウレタン弾性繊維に加えて、ナイロン繊維を含んでも良い。前記弾性部材を構成する素材は、特に限定されないが、目付が７０ｇ/ｍ2以上４００ｇ/ｍ2以下であることが好ましい。前記弾性部材は、その他の部分を構成する本体生地と縫製により繋がっていてもよく、熱接着で繋がっていてもよい。或いは、前記弾性部材は、本体生地との二重生地であってもよく、二重生地で挟まれていてもよい。
【００１７】
前記バドミントン用タイツは、前身頃において、最下点（最下端）が膝の下方に位置する略Ｕ字状の縫製線を有することが好ましい。該略Ｕ字状の縫製線が弾性部材の下部アンカーとして機能し、弾性部材によるアシスト機能をより効果的に発揮することができる。前記弾性部材は前記略Ｕ字状の縫製線に少なくても１点で接していることが好ましく、より好ましくは、前記弾性部材が前記略Ｕ字状の縫製線の少なくても一部に沿っている、すなわち、前記弾性部材が前記略Ｕ字状の縫製線の少なくても一部によって本体生地と繋がっている。アンカーとして機能する略Ｕ字状の縫製線は、Ｕ字の最下点が膝の下方に位置する限りにおいて、左右の上端位置は任意とすることができる。例えば、Ｕ字の左右の上端を大腿部に位置する程度まで伸ばしてもよく、あるいは骨盤上部まで伸ばしてもよい。
【００１８】
前記本体生地としては、伸縮性を有する伸縮性素材、例えば織物、編物などの通常の衣服用生地を用いることができる。前記伸縮性素材を形成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。前記本体生地は、特に限定されないが、例えば、目付けが１２０ｇ／ｍ2以上３８０ｇ／ｍ2以下の範囲が好ましく、より好ましくは１６０ｇ／ｍ2以上３４０ｇ／ｍ2以下の範囲である。上記の範囲であれば、運動機能を損なわず、耐久性も良く、軽くて動きやすい利点がある。
【００１９】
前記バドミントン用タイツは、例えば腰部から膝下までを覆うように形成されていてもよく、腰部から足首までを覆うように形成されていてもよく、腰部から足甲までを覆うように形成されていてもよい。
【００２０】
前記弾性部材は左下肢及び右下肢のいずれか一方に設けられていてもよい。バドミントン用タイツにおいて、利き手側の脚に対応する下肢のみに弾性部材を設けることで、弾性部材によるアシスト効果を発揮するとともに、他の脚の着用性を良好にすることができる。
【００２１】
前記バドミントン用タイツは、表側と裏側とを反転可能なリバーシブル仕様であることが好ましい。前記弾性部材は左下肢及び右下肢のいずれか一方に設けられている場合でも、利き手側の脚によって、着用スタイルを変更することで対応することができる。例えば、ウエスト及び/又は裾はバインダーかＹ字ベルトを使用すること、縫製は平４本針で嵩が低くなるように行うことなどでリバーシブル仕様にすることができる。また、縫製の代わりに接着を行うことや、二重生地にして間に弾性部材用素材を挟み込んでもよい。
【００２２】
前記弾性部材は、臀頂部を通り、大腿の外側部を通り、膝蓋骨を覆わず、膝蓋骨の外側を通り、膝の下方に至るように配置されていてもよい。或いは、前記弾性部材は、臀頂部を通り、大腿の内側部を通り、膝蓋骨を覆わず、膝蓋骨の内側を通り、膝の下方に至るように配置されていてもよい。或いは、前記弾性部材は、臀頂部を通り、大腿の外側部を通り、膝蓋骨を覆わず、膝蓋骨の外側を通り、膝の下方に至るように配置されている外側弾性部材と、臀頂部を通り、大腿の内側部を通り、膝蓋骨を覆わず、膝蓋骨の内側を通り、膝の下方に至るように配置されている内側弾性部材を有してもよい。この場合は、外側弾性部材と内側弾性部材とを、膝蓋骨の下方で接合させることでアンカーとしての機能を持たせることができる。かかる実施形態の場合は、縫製線によるアンカーはなくても良い。前記弾性部材は、フロントランジ動作をよりアシストしやすい観点から、好ましくは、骨盤上部から始まり、臀頂部を通るように配置される。前記弾性部材は、フロントランジ動作の踏み込み動作をよりスムーズに行う観点から、膝蓋骨の上方を覆わないように配置されることが好ましい。前記外側弾性部材と前記内側弾性部材は、臀部において部分的に重なっていてもよく、一体化されてもよい。例えば、前記弾性部材は、骨盤上部から始まり、臀頂部を通り、大腿部で二つ（二股）に分かれて、一方は大腿の外側部を通り、膝蓋骨を覆わず、膝の外側を通り、膝の下方に至るように配置され、他方は大腿の内側部を通り、膝蓋骨を覆わず、膝の内側を通り、膝の下方に至るように配置されていてもよい。好ましくは、前記弾性部材は、骨盤上部から始まり、臀頂部を通り、大腿部で二つ（二股）に分かれて、一方は大腿の外側部を通り、膝蓋骨の上方及び膝蓋骨を覆わず、膝の外側を通り、膝の下方に至るように配置され、他方は大腿の内側部を通り、膝蓋骨の上方及び膝蓋骨を覆わず、膝の内側を通り、膝の下方に至るように配置される。略Ｕ字状縫製線によるアンカー効果をより高める観点から、略Ｕ字状縫製線の下方において、外側弾性部材と内側弾性部材の間には、身長方向の伸長率が弾性部材の身長方向の伸長率より低い生地で構成された膝下前面緊締部が配置され、膝下前面緊締部は縫製で外側弾性部材及び内側弾性部材のそれぞれと繋がっていることが好ましい。この場合、膝下前面緊締部と、本体生地、外側弾性部材及び内側弾性部材との縫製線が略Ｕ字状となっており、弾性部材の下部アンカーとして機能する。また、膝の下方において、膝下前面緊締部に加えて、後身頃の膝の下方に設けられた膝下後面緊締部を有することが好ましい。このように、膝下において、脚を周方向に囲むように緊締部を設けることで、よりアンカーの効果を高められる。好ましくは、膝下後面緊締部は膝下前面緊締部と同じ伸張率を有する。前記弾性部材が左下肢及び右下肢のいずれか一方に設けられている場合、弾性部材の上部は、他方の骨盤上部を覆う領域までに延びても良い。
【００２３】
弾性部材によるアシスト効果を高める観点から、左右下肢のそれぞれの臀部を覆う領域において、前記弾性部材の幅は臀部の１/２周幅の８．６％以上であり、大腿部を覆う領域において、前記弾性部材の幅は大腿部の周幅の８．５％以上であり、膝部を覆う領域において、前記弾性部材の幅は膝部の周幅の８．３％以上であることが好ましい。例えば、男子Ｌサイズ（ＪＡＳＰＯ）の場合、臀部を覆う領域において、前記弾性部材の幅は４．０ｃｍ以上であり、大腿部を覆う領域において、前記弾性部材の幅は４．０ｃｍ以上であり、膝部を覆う領域において、前記弾性部材の幅は３．０ｃｍ以上であることが好ましい。また、特に限定されないが、着用のしやすさと動きやすさを実現する観点から、臀部を覆う領域において、前記弾性部材の幅は臀部の１/２周幅の３８．５％以下であり、大腿部を覆う領域において、前記弾性部材の幅は大腿部の周幅の４０．４％以下であり、膝部を覆う領域において、前記弾性部材の幅は膝部の周幅の４４．４％以下であることが好ましい。例えば、男子Ｌサイズ（ＪＡＳＰＯ）の場合、臀部を覆う領域において、前記弾性部材の幅は１８．０ｃｍ以下であり、大腿部を覆う領域において、前記弾性部材の幅は１９．０ｃｍ以下であり、膝部を覆う領域において、前記弾性部材の幅は１６．０ｃｍ以下であることが好ましい。本発明において、弾性部材の幅は、弾性部材の内側端部と外側端部間の最も距離が短くなる線分の長さをいう。なお、弾性部材が２股に分かる場合は、二つの部分の合計幅を弾性部材の幅とする。また、本発明において、臀部の１/２周幅とは、臀頂部を通る周幅の５０％をいい、大腿部の周幅とは、股下から膝関節中心までの中点を通る周幅をいい、膝部の周幅とは、膝関節中心を通る周幅をいう。
【００２４】
以下、図面に基づいて、本発明のバドミントン用タイツの実施形態を具体的に説明する。但し、本発明のバドミントン用タイツは、図面に示されたものに限定されない。
【００２５】
図１は、本発明の一実施形態のバドミントン用タイツに関し、（ａ）は正面図であり、（ｂ）は背面図であり、（ｃ）は外側面図であり、（ｄ）は内側面図である。図１〜図６において、太線及び二重点線は、縫製線を示している。該実施形態のバドミントン用タイツ１は、右下肢に設けられた帯状の弾性部材２を有する。弾性部材２は、骨盤上部から始まり、臀頂部を通り、大腿部で二つに分かれて、一方の弾性部材２ａは大腿の外側部を通り、膝蓋骨の上方及び膝蓋骨を覆わず、膝の外側を通り、膝の下方に至るように配置されており、他方の弾性部材２ｂは、大腿の内側部を通り、膝蓋骨の上方及び膝蓋骨を覆わず、膝の内側を通り、膝の下方に至るように配置されている。弾性部材２（２ａ、２ｂ）を有することで、フロントランジ動作の踏み込み動作が阻害されず、フロントランジ動作の踏み込みの際に臀頂部付近の弾性部材が伸長され弾性エネルギーを蓄え、戻り動作の際に弾性部材が元の長さに戻ろうとする力により、股関節を伸展させる方向にアシスト力が発揮され、臀部や大腿部の筋肉の負担を軽減されることができる。
【００２６】
弾性部材２の上部は、左下肢の骨盤上部を覆う領域までに延びている。ウエストは腰緊締部３を有し、腰緊締部３は、身長方向の伸長率が弾性部材２の身長方向の伸長率より低い。腰緊締部３は弾性部材２と繋がっており、弾性部材２の上部アンカーとして機能する。
【００２７】
バドミントン用タイツ１において、弾性部材２は本体生地と縫製によって繋がっている。バドミントン用タイツ１は、前身頃において、最下点が膝の下方に位置する略Ｕ字状の縫製線１０を有する。略Ｕ字状の縫製線１０が弾性部材２の下部アンカーとして機能し、弾性部材２によるアシスト機能をより効果的に発揮することができる。前記弾性部材２が前記略Ｕ字状の縫製線１０に少なくても１点で接していることが好ましく、より好ましくは、前記弾性部材２が前記略Ｕ字状の縫製線１０の少なくても一部に沿っている。略Ｕ字状の縫製線１０の下方において、弾性部材２ａと弾性部材２ｂの間には、身長方向の伸長率が弾性部材２の身長方向の伸長率より低い生地で構成された膝下前面緊締部４が配置され、膝下前面緊締部４は縫製で弾性部材２ａ及び弾性部材２ｂのそれぞれと繋がっている。膝下前面緊締部４を設けることにより、フロントランジ動作の踏み込み動作の際に、膝の下方領域において弾性部材２ａ、及び弾性部材２ｂが互いに離れる方向に伸展し、弾性部材２ａ及び弾性部材２ｂに掛かるテンションが分散するのを防止することができる。また、図７に示されているように、バドミントン用タイツ１は、膝の下方において、膝下前面緊締部４に加えて、後身頃の膝の下方に設けられた膝下後面緊締部１４を有することが好ましい。このように、膝下において、脚を周方向に囲むように緊締部を設けることで、よりアンカーの効果を高められる。好ましくは、前記膝下後面緊締部１４は前記膝下前面緊締部４と同じ伸張率を有する。
【００２８】
図２は、本発明の他の一実施形態のバドミントン用タイツに関し、（ａ）は正面図であり、（ｂ）は背面図であり、（ｃ）は外側面図であり、（ｄ）は内側面図である。該実施形態のバドミントン用タイツ１１は、右下肢に設けられた帯状の弾性部材１２ａを有する。弾性部材１２ａは、骨盤上部から始まり、臀頂部を通り、大腿の外側部を通り、膝蓋骨の上方及び膝蓋骨を覆わず、膝の外側を通り、膝の下方に至るように配置されている。弾性部材１２ａを有することで、フロントランジ動作の踏み込み動作が阻害されず、フロントランジ動作の踏み込みの際に臀頂部付近の弾性部材が伸長され弾性エネルギーを蓄え、戻り動作の際に弾性部材が元の長さに戻ろうとする力により、股関節を伸展させる方向にアシスト力が発揮され、臀部や大腿部の筋肉の負担を軽減されることができる。
【００２９】
弾性部材１２ａの上部は、左下肢の骨盤上部を覆う領域までに延びている。ウエストは腰緊締部１３を有し、腰緊締部１３は、身長方向の伸長率が弾性部材１２ａの身長方向の伸長率より低い。腰緊締部１３は弾性部材２ａと繋がっており、弾性部材１２ａの上部アンカーとして機能する。
【００３０】
バドミントン用タイツ１１において、弾性部材１２ａは本体生地と縫製によって繋がっている。バドミントン用タイツ１１は、前身頃において、最下点が膝の下方に位置する略Ｕ字状の縫製線２０を有する。略Ｕ字状の縫製線２０が弾性部材１２ａの下部アンカーとして機能し、弾性部材１２ａによるアシスト機能をより効果的に発揮することができる。
【００３１】
図３は、本発明の他の一実施形態のバドミントン用タイツに関し、（ａ）は正面図であり、（ｂ）は背面図であり、（ｃ）は外側面図であり、（ｄ）は内側面図である。該実施形態のバドミントン用タイツ２１は、右下肢に設けられた帯状の弾性部材２２ｂを有する。弾性部材２２ｂは、骨盤上部から始まり、臀頂部を通り、大腿の内側部を通り、膝蓋骨の上方及び膝蓋骨を覆わず、膝の内側を通り、膝の下方に至るように配置されている。弾性部材２２ｂを有することで、フロントランジ動作の踏み込み動作が阻害されず、フロントランジ動作の踏み込みの際に臀頂部付近の弾性部材が伸長され弾性エネルギーを蓄え、戻り動作の際に弾性部材が元の長さに戻ろうとする力により、股関節を伸展させる方向にアシスト力が発揮され、臀部や大腿部の筋肉の負担を軽減されることができる。
【００３２】
ウエストは腰緊締部２３を有し、腰緊締部２３は、身長方向の伸長率が弾性部材２２ｂの身長方向の伸長率より低い。腰緊締部２３は弾性部材２２ｂと繋がっており、弾性部材２２ｂの上部アンカーとして機能する。
【００３３】
バドミントン用タイツ２１において、弾性部材２２ｂは本体生地と縫製によって繋がっている。バドミントン用タイツ２１は、前身頃において、最下点が膝の下方に位置する略Ｕ字状の縫製線３０を有する。略Ｕ字状の縫製線３０が弾性部材２２ｂの下部アンカーとして機能し、弾性部材２２ｂによるアシスト機能をより効果的に発揮することができる。
【００３４】
図４は、本発明の一実施形態のバドミントン用タイツに関し、（ａ）は正面図であり、（ｂ）は背面図であり、（ｃ）は外側面図であり、（ｄ）は内側面図である。該実施形態のバドミントン用タイツ３１は、左下肢及び右下肢のそれぞれに設けられた帯状の弾性部材３２を有する。弾性部材３２は、骨盤上部から始まり、臀頂部を通り、大腿部で二つに分かれて、一方の弾性部材３２ａは大腿の外側部を通り、膝蓋骨の上方及び膝蓋骨を覆わず、膝の外側を通り、膝の下方に至るように配置されており、他方の弾性部材３２ｂは、大腿の内側部を通り、膝蓋骨の上方及び膝蓋骨を覆わず、膝の内側を通り、膝の下方に至るように配置されている。弾性部材３２（３２ａ、３２ｂ）を有することで、フロントランジ動作の踏み込み動作が阻害されず、フロントランジ動作の踏み込みの際に臀頂部付近の弾性部材が伸長され弾性エネルギーを蓄え、戻り動作の際に弾性部材が元の長さに戻ろうとする力により、股関節を伸展させる方向にアシスト力が発揮され、臀部や大腿部の筋肉の負担を軽減されることができる。
【００３５】
ウエストは腰緊締部３３を有し、腰緊締部３３は、身長方向の伸長率が弾性部材３２の身長方向の伸長率より低い。腰緊締部３３は弾性部材３２と繋がっており、弾性部材３２の上部アンカーとして機能する。
【００３６】
バドミントン用タイツ３１において、弾性部材３２は本体生地と縫製によって繋がっている。バドミントン用タイツ３１は、前身頃において、最下点が膝の下方に位置する略Ｕ字状の縫製線４０を有する。略Ｕ字状の縫製線４０が弾性部材３２の下部アンカーとして機能し、弾性部材３２によるアシスト機能をより効果的に発揮することができる。膝の下方かつ略Ｕ字状の縫製線の下方において、弾性部材３２ａと弾性部材３２ｂの間には、身長方向の伸長率が弾性部材３２の身長方向の伸長率より低い生地で構成された膝下前面緊締部３４が配置され、膝下前面緊締部３４は縫製で弾性部材３２ａ及び弾性部材３２ｂのそれぞれと繋がっている。
【００３７】
図５は、本発明の他の一実施形態のバドミントン用タイツに関し、（ａ）は正面図であり、（ｂ）は背面図であり、（ｃ）は外側面図であり、（ｄ）は内側面図である。該実施形態のバドミントン用タイツ４１は、左下肢及び右下肢のそれぞれに設けられた帯状の弾性部材４２ａを有する。弾性部材４２ａは、骨盤上部から始まり、臀頂部を通り、大腿の外側部を通り、膝蓋骨の上方及び膝蓋骨を覆わず、膝の外側を通り、膝の下方に至るように配置されている。弾性部材４２ａを有することで、フロントランジ動作の踏み込み動作が阻害されず、フロントランジ動作の踏み込みの際に臀頂部付近の弾性部材が伸長され弾性エネルギーを蓄え、戻り動作の際に弾性部材が元の長さに戻ろうとする力により、股関節を伸展させる方向にアシスト力が発揮され、臀部や大腿部の筋肉の負担を軽減されることができる。
【００３８】
ウエストは腰緊締部４３を有し、腰緊締部４３は、身長方向の伸長率が弾性部材４２ａの身長方向の伸長率より低い。腰緊締部４３は弾性部材４２ａと繋がっており、弾性部材４２ａの上部アンカーとして機能する。
【００３９】
バドミントン用タイツ４１において、弾性部材４２ａは本体生地と縫製によって繋がっている。バドミントン用タイツ４１は、前身頃において、最下点が膝の下方に位置する略Ｕ字状の縫製線５０を有する。略Ｕ字状の縫製線５０が弾性部材４２ａの下部アンカーとして機能し、弾性部材４２ａによるアシスト機能をより効果的に発揮することができる。
【００４０】
図６は、本発明の他の一実施形態のバドミントン用タイツに関し、（ａ）は正面図であり、（ｂ）は背面図であり、（ｃ）は外側面図であり、（ｄ）は内側面図である。該実施形態のバドミントン用タイツ５１は、左下肢及び右下肢のそれぞれに設けられた帯状の弾性部材５２ｂを有する。弾性部材５２ｂは、骨盤上部から始まり、臀頂部を通り、大腿の内側部を通り、膝蓋骨の上方及び膝蓋骨を覆わず、膝の内側を通り、膝の下方に至るように配置されている。弾性部材５２ｂを有することで、フロントランジ動作の踏み込み動作が阻害されず、フロントランジ動作の踏み込みの際に臀頂部付近の弾性部材が伸長され弾性エネルギーを蓄え、戻り動作の際に弾性部材が元の長さに戻ろうとする力により、股関節を伸展させる方向にアシスト力が発揮され、臀部や大腿部の筋肉の負担を軽減されることができる。
【００４１】
ウエストは腰緊締部５３を有し、腰緊締部５３は、身長方向の伸長率が弾性部材５２ｂの身長方向の伸長率より低い。腰緊締部５３は弾性部材５２ｂと繋がっており、弾性部材５２ｂの上部アンカーとして機能する。
【００４２】
バドミントン用タイツ５１において、弾性部材５２ｂは本体生地と縫製によって繋がっている。バドミントン用タイツ５１は、前身頃において、最下点が膝の下方に位置する略Ｕ字状の縫製線６０を有する。略Ｕ字状の縫製線６０が弾性部材５２ｂの下部アンカーとして機能し、弾性部材５２ｂによるアシスト機能をより効果的に発揮することができる。
【実施例】
【００４３】
以下実施例を用いてさらに具体的に説明する。なお、本発明は下記の実施例に限定されるものではない。
【００４４】
実施例及び比較例で下記の生地を用いた。
（１）生地ａ：平織りの織物、目付け約３６０ｇ／ｍ2、繊維組成は、ポリウレタン弾性繊維７６．５％、ナイロン繊維２３．５％であった。経糸は、ポリウレタン糸を用いた。緯糸は、ナイロン糸を用いた。該生地のタテ方向の伸長戻り荷重は１５．５Ｎであり、ヒステリシスロスは１５．８％であり、伸長率は３４．３％であった。生地ａをタテ方向が身長方向になるように用い、弾性部材を構成した。
（２）生地ｂ：平織りの織物、目付け約１７０ｇ／ｍ2、繊維組成は、ポリエステル繊維８８．０％、ポリウレタン弾性繊維１２．０％であった。密度（打ち込み本数）は、経糸１５２本／インチ、緯糸１６０本／インチであった。該生地のタテ方向の伸長戻り荷重は９．５Ｎであり、ヒステリシスロスは２６．１％であり、伸長率は３３．６％であった。生地ｂをタテ方向が身長方向になるように用い、腰緊締部及び膝下前面緊締部を構成した。
（３）生地ｃ：タテ編みの編物、目付約２１５ｇ/ｍ2、繊維組成は、ポリウレタン弾性繊維８２％、ナイロン繊維１８％であった。該生地のタテ方向の伸長戻り荷重は０．２Ｎであり、ヒステリシスロスは５５．４％であり、タテ方向の伸長率は、１５４．４％であった。生地３をタテ方向が身長方向になるようにして本体生地として用いた。
【００４５】
（実施例１）
弾性部材２を構成する生地ａ、腰緊締部３及び膝下前面緊締部４を構成する生地ｂを用い、その他の部分を構成する生地ｃを用いて、図１に示すバドミントン用タイツ１（ＪＡＳＰＯ  Ｌ  サイズ、男子用）を作製した。バドミントン用タイツ１において、臀部の弾性部材２の幅は９ｃｍ（臀部の１/２周幅の１９．３％）、大腿部の弾性部材２の幅は１６ｃｍ（大腿部の周幅の３４．０％）、膝部の弾性部材２の幅は１０ｃｍ（膝部の周幅の２７．８％）であった。
【００４６】
（比較例１）
腰緊締部３を生地ｂで構成し、その他の全ての部分を生地ｃで構成した以外は、実施例１と同様にしてバドミントン用タイツ（ＪＡＳＰＯ  Ｌ  サイズ、男子用）を作製した。
【００４７】
実施例１及び比較例１のバドミントン用タイツをそれぞれ被験者に着用してもらい、フロントランジ動作における接地中の中臀筋、外側広筋及び大腿二頭筋の筋活動量を下記のように測定し、比較例１のバドミントン用タイツを着用した場合の各筋の筋活動量の積分値を１００％とし、比較例１に対する相対値を表１及び図７に示した。
【００４８】
（筋活動量の測定方法）
筋電計（多チャンネルテレメータシステム、ＷＥＢ−７０００、日本光電工業株式会社製）を用いて、フロントランジ動作中の利き手側の脚における中臀筋，外側広筋，大腿二頭筋の筋電図を計測した。動作は、パワースタンスから前方約３ｍ地点に向けてのフロントランジであり、スタート位置に戻るところまでを全力で実施するように指示した。試技の開始は計測者の合図によるものとした。分析範囲は、フロントランジ動作中の利き手側の足が接地してから離地するまでとし、この範囲で各筋の積分筋電図を求めた。
【００４９】
【表１】
2020037753.tif 000003
【００５０】
表１及び図８の結果から分かるように、実施例１のバドミントン用タイツを着用した場合、比較例１のタイツを着用した場合に比べて、フロントランジ動作における接地中の中臀筋、外側広筋及び大腿二頭筋の筋活動量が低減しており、弾性部材によって、フロントランジ動作をアシストし、臀部や大腿部の筋発揮を低減することが確認された。
【符号の説明】
【００５１】
１、１１、２１、３１、４１、５１  バドミントン用タイツ
２、２ａ、２ｂ、１２ａ、２２ｂ、３２、３２ａ、３２ｂ、４２ａ、５２ｂ  弾性部材
３、１３、２３、３３、４３、５３  腰緊締部
４、３４  膝下前面緊締部
１０、２０、３０、４０、５０、６０  略Ｕ字型縫製線
【図１】
2020037753.tif 000004
【図２】
2020037753.tif 000005
【図３】
2020037753.tif 000006
【図４】
2020037753.tif 000007
【図５】
2020037753.tif 000008
【図６】
2020037753.tif 000009
【図７】
2020037753.tif 000010
【図８】
2020037753.tif 000011